(57)【要約】【課題】機器の設定に係るユーザ作業を軽減できる電子機器を提供する。【解決手段】電子機器（１０Ａ）は、他の電子機器（１０Ｂ）でユーザにより設定された設定情報を取得する取得部（１２９，１３０）と、前記取得部が取得した設定情報を汎用性のある第１情報と、当該第１情報とは異なる第２情報とに判別する判別部（１３０）と、前記判別部が判別した前記第１情報に基づいて、機器（１０Ａ）の設定を行う設定部（１３０）と、を備える。【選択図】図１
2015012328.tif 000002
【特許請求の範囲】
【請求項１】
他の電子機器でユーザにより設定された設定情報を取得する取得部と、
前記取得部が取得した設定情報を汎用性のある第１情報と、当該第１情報とは異なる第２情報とに判別する判別部と、
前記判別部が判別した前記第１情報に基づいて、機器の設定を行う設定部と、を備えることを特徴とする電子機器。
【請求項２】
前記判別部は、前記第２情報に基づく前記設定部による前記機器の設定が可能かどうかを判別することを特徴とする請求項１記載の電子機器。
【請求項３】
前記設定部は、前記第２情報の一部を加工して前記機器の設定を行うことを特徴とする請求項２記載の電子機器。
【請求項４】
前記第２情報により前記機器の設定ができない場合に、報知を行う報知部を備えることを特徴とする請求項２記載の電子機器。
【請求項５】
前記他の電子機器は撮像機器であり、
前記取得部は、ユーザにより設定された撮像に関する設定情報を取得することを特徴とする請求項１から４のいずれか１項に記載の電子機器。
【請求項６】
前記判別部は、日時、言語、および単位の少なくとも１つに関する設定情報を前記第１情報と判別することを特徴とする請求項１から５のいずれか１項に記載の電子機器。
【請求項７】
前記判別部は、ユーザの視度に関する設定情報を前記第２情報と判別することを特徴とする請求項１から６のいずれか１項に記載の電子機器。
【請求項８】
前記取得部は、前記他の電子機器に着脱可能な記憶媒体および外部機器の少なくとも１つから前記設定情報を取得することを特徴とする請求項１から７のいずれか１項に記載の電子機器。
【請求項９】
前記取得部は、近接通信または人体通信により前記外部機器から前記第１情報及び前記第２情報を取得することを特徴とする請求項８に記載の電子機器。
【請求項１０】
ユーザによる設定情報を生成する生成部と、
前記設定情報を、汎用性のある第１情報と、前記第１情報とは異なる第２情報のいずれか一方に振り分けて記憶する記憶部と、
を備えることを特徴とする電子機器。
【発明の詳細な説明】
【技術分野】
【０００１】
本発明は、電子機器に関する。
【背景技術】
【０００２】
従来から、機器の設定に係るユーザの作業を軽減する技術が提案されている。
【０００３】
例えば、特許文献１には、所定の画像形成装置に対し設定されていた所定の設定情報を新規の画像形成装置に移行する画像形成システムが開示されている。
【先行技術文献】
【特許文献】
【０００４】
【特許文献１】特開２００９−１７５９８３号公報
【発明の概要】
【発明が解決しようとする課題】
【０００５】
しかしながら、特許文献１記載の技術では、設定を移行する機器の種類によっては、設定情報を移行できない可能性があった。
【０００６】
そこで、本発明は上記の課題に鑑みてなされたものであり、機器の設定に係るユーザ作業を軽減できる電子機器を提供することを目的とする。
【課題を解決するための手段】
【０００７】
本発明の電子機器（１０Ａ）は、他の電子機器（１０Ｂ）でユーザにより設定された設定情報を取得する取得部（１２９，１３０）と、前記取得部が取得した設定情報を汎用性のある第１情報と、当該第１情報とは異なる第２情報とに判別する判別部（１３０）と、前記判別部が判別した前記第１情報に基づいて、機器（１０Ａ）の設定を行う設定部（１３０）と、を備える。
【０００８】
この場合において、前記判別部は、前記第２情報に基づく前記設定部による前記機器の設定が可能かどうかを判別することとしてもよい。また、前記設定部は、前記第２情報の一部を加工して前記機器の設定を行うこととしてもよい。
【０００９】
また、本発明の電子機器は、前記第２情報により前記機器の設定ができない場合に、報知を行う報知部（１１０）を備えていてもよい。また、本発明の電子機器において、前記他の電子機器は撮像機器であり、前記取得部は、ユーザにより設定された撮像に関する設定情報を取得することとしてもよい。
【００１０】
また、本発明の電子機器において、前記判別部は、日時、言語、および単位の少なくとも１つに関する設定情報を前記第１情報と判別することとしてもよい。また、前記判別部は、ユーザの視度に関する設定情報を前記第２情報と判別することとしてもよい。
【００１１】
また、本発明の電子機器において、前記取得部は、前記他の電子機器に着脱可能な記憶媒体（１１６Ｂ）および外部機器（２０）の少なくとも１つから前記設定情報を取得することとしてもよい。また、前記取得部は、近接通信または人体通信により前記外部機器から前記第１情報及び前記第２情報を取得することとしてもよい。
【００１２】
本発明の電子機器（１０Ａ，１０Ｂ）は、ユーザによる設定情報を生成する生成部（１３０，１３０Ｂ）と、前記設定情報を、汎用性のある第１情報と、前記第１情報とは異なる第２情報のいずれか一方に振り分けて記憶する記憶部（１１８，１１８Ｂ）と、を備える。
【００１３】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１４】
本発明の電子機器は、機器の設定に係るユーザ作業を軽減できるという効果を奏する。
【図面の簡単な説明】
【００１５】
【図１】図１は、一実施形態に係る電子機器システムの構成を示す図である。
【図２】図２（Ａ）及び図２（Ｂ）は、撮像装置の概要を示す図である。
【図３】図３は、携帯端末の記憶部が記憶する撮像装置の設定情報の一例を示す図である。
【図４】図４は、撮像装置の制御部が実行する設定情報移行処理の一例を示すフローチャートである。
【図５】図５は、図４の処理を説明するための図である。
【発明を実施するための形態】
【００１６】
以下、本発明の一実施形態に係る電子機器システムについて、図１〜図５に基づいて詳細に説明する。図１には、一実施形態に係る電子機器システム５００の構成が示されている。電子機器システム５００は、図１に示すように、撮像装置１０Ａ,１０Ｂと、携帯端末２０と、を備える。本実施形態では、ユーザが新たに購入した撮像装置（新製品とも記載する）が撮像装置１０Ａであり、ユーザが以前から使用している撮像装置（旧製品）が撮像装置１０Ｂであるものとして説明を行う。
【００１７】
（撮像装置１０Ａ）
撮像装置１０Ａは、本実施形態においては、カメラであって、一眼レフカメラ、ミラーレスカメラ、およびコンパクトカメラのいずれであってもよい。撮像装置１０Ａは、図１に示すように、レンズ部１０２、レンズ駆動部１０４、撮像素子１０５、Ａ／Ｄ（Analog/Digital）変換部１０６、ＡＳＩＣ（Application Specific Integrated Circuit）１０８、表示部１１０、操作部１１２、位置検出部１１４、記憶媒体１１６、メモリ１１８、通信ユニット１２０、及び制御部１３０を有する。
【００１８】
レンズ部１０２は、ズームレンズやフォーカシングレンズを含む複数のレンズ群で構成され、被写体像を撮像素子１０５の撮像面に結像させる。
【００１９】
レンズ駆動部１０４は、例えばモータやアクチュエータなどを備え、後述する操作部１１２に含まれるレリーズスイッチ１１２−１の操作に応じてフォーカシング（オートフォーカス）を行うためにレンズ部１０２を駆動する。なお、レンズ部１０２およびレンズ駆動部１０４は、撮像装置１０Ａからの取り外しや、交換が可能であってもよい。
【００２０】
撮像素子１０５は、受光素子が撮像面に二次元配列されたＣＭＯＳ（Complementary Metal Oxide Semiconductor）イメージセンサ等を備え、アナログ画像信号を生成する。
【００２１】
Ａ／Ｄ変換部１０６は、撮像素子１０５が生成したアナログ画像信号をデジタル画像信号に変換し、制御部１３０へ出力する。
【００２２】
ＡＳＩＣ１０８は、制御部１３０から入力されたデジタル画像信号に対して、各種の画像処理（色補間処理、階調変換処理、輪郭強調処理、ホワイトバランス調整処理、画像圧縮処理、画像伸張処理など）を行う回路である。ＡＳＩＣ１０８によって処理された画像データ（例えば、サムネイル表示用データや、このサムネイル表示用データよりも解像度の高い本画像データなど）は、制御部１３０の制御の下、表示部１１０に表示されたり、記憶媒体１１６に記憶される。
【００２３】
表示部１１０は、例えば、ＬＣＤ（Liquid Crystal Display）であり、撮像装置１０Ａの各種設定に関する情報（設定情報）や、撮像装置１０Ａを操作するための操作メニュー、アイコンなどを表示する。また、表示部１１０は、ＡＳＩＣ１０８の出力に基づくライブビュー画像（スルー画像）や、後述する記憶媒体１１６に記録されている静止画像や動画像を表示する。なお、撮像装置１０Ａでは、図２（Ａ）に示すように、表示部１１０がバリアングル方式で展開する。本実施形態において、撮像装置１０Ａは、不図示の電子ビューファインダーでの画像表示と、表示部１１０での画像表示とを、表示部１１０の開閉時の向きで切り替える。例えば、表示部１１０を撮像装置１０Ａ側に向けた状態（格納状態）では、電子ビューファインダーで画像表示を行い、その他の状態では、表示部１１０で画像表示を行う。
【００２４】
操作部１１２は、ユーザの操作を受け付けるためのものであって、例えば、図２（Ａ）に示すように、静止画の撮影を指示するレリーズスイッチ１１２―１と、撮影モードを選択するモードダイヤル１１２−２と、動画の撮影の開始や終了を指示するための動画釦１１２−３と、視度調整を行うための視度調整ダイヤル１１２−４とを有している。視度調整ダイヤル１１２−４は、不図示のファインダ光学系の接眼レンズを光軸方向に駆動するものである、なお、この接眼レンズの光軸方向の移動は、撮像装置１０Ａの制御部１３０Ａにより不図示のモータを駆動制御して行ってもよい。この場合、不図示のモータにより接眼レンズの光軸方向の移動に応じて視度調整ダイヤル１１２−４のダイヤル位置も移動するように構成してもよい。また、操作部１１２は、表示部１１０の表面に積層されたタッチパネルセンサを備え、ユーザが表示部１１０に表示されているメニュー項目を視認しながらタッチパネルを操作した場合には、その操作に対応して表示されていたメニュー項目が選択されるようになっている。例えば、タッチパネルセンサにより、動画撮影を行うときのフレームレートや、マイクの感度の設定などが可能である。
【００２５】
位置検出部１１４は、例えば、ＧＰＳ（Global Positioning System）センサを有しており、撮像装置１０Ａの位置（緯度や経度）を検出する。ＧＰＳセンサは、測位に衛星の軌道情報（エフェメリス）を用いており、有効なエフェメリスを有していれば数秒程度で測位ができるのに対し、所定時間（例えば、１時間半）が経過して有効なエフェメリスを有していない場合には測位に数十秒の時間がかかってしまう。このため、撮像装置１０Ａの不図示のメインスイッチがオフの場合でもＧＰＳセンサに電力を供給するホットスタートモードと、省電力化のためメインスイッチがオンの場合にＧＰＳセンサに電力を供給するコールドスタートモードとが、例えば前述のタッチパネルの操作により選択可能となっている。
【００２６】
記憶媒体１１６は、例えば、ＳＤカードであり、静止画のデータや動画のデータを記憶する。
【００２７】
メモリ１１８は、不揮発性の半導体メモリ（例えば、フラッシュメモリ）であり、制御部１３０によって実行される撮像装置１０Ａを制御するためのプログラムや各種パラメータが記憶されている。また、本実施形態において、メモリ１１８には、撮像装置１０Ａの設定情報も格納される。
【００２８】
通信ユニット１２０は、他の機器と通信を行うものであり、例えばＢｌｕｅｔｏｏｔｈ（登録商標）、ＲＦＩＤ(Radio Frequency Identification)、ＴｒａｎｓｆｅｒＪｅｔ（登録商標）などの近接通信や、人体を介した人体通信、および無線通信などを用いることができる。本実施形態において、通信ユニット１２０は、電極部１２７と、電極部１２７を用いて人体通信を行う人体通信部１２９とを備える。電極部１２７は、撮像装置１０Ａの筐体の外側であって、ユーザと接触する位置に設けられる。本実施形態では、人体通信部１２９は、後述する携帯端末２０の人体通信部２０３と通信し、携帯端末２０の記憶部２０８に記憶されている撮像装置１０Ｂの設定情報を受信する。なお、人体通信には、人体に微弱な電流を流して、その電流を変調して情報を伝達する電流方式や、人体の表面に誘起する電界を変調して情報を伝達する電界方式などがある。本実施形態では、電流方式及び電界方式のいずれのタイプを用いることも可能である。
【００２９】
制御部１３０は、ＣＰＵ（Central Processing Unit）を備え、撮像装置１０Ａ全体を制御する。なお、制御部１３０が実行する処理の詳細については後述する。
【００３０】
（撮像装置１０Ｂ）
撮像装置１０Ｂは、撮像装置１０Ａと同様、カメラであって、一眼レフカメラ、ミラーレスカメラ、およびコンパクトカメラのいずれであってもよい。撮像装置１０Ｂは、図２（Ｂ）に示すように、操作部１１２Ｂが、レリーズスイッチ１１２Ｂ−１、モードダイヤル１１２Ｂ−２、動画釦１１２Ｂ−３及び視度調整ダイヤル１１２Ｂ−４を有している部分は撮像装置１０Ａの構成と類似している。これに加えて、操作部１１２Ｂは、、モニタ切り替え釦１１２Ｂ−５を備えている。また、撮像装置１０Ｂは、表示部１１０がチルト方式で展開する点が、撮像装置１０Ａと異なっている。撮像装置１０Ｂにおいて、撮像装置１０Ａと同一の構成については撮像装置１０Ａの符号の後に“Ｂ”を追加した符号を付し、説明を省略する。なお、モニタ切り替え釦１１２Ｂ−５は、電子ビューファインダーでの画像表示と表示部１１０での画像表示とを切り替えるのに使用される。
【００３１】
（携帯端末２０）
携帯端末２０は、ユーザにより携帯された状態で利用される情報機器である。携帯端末２０としては、携帯電話、スマートフォン、タブレット型パソコン、ＰＨＳ（Personal Handy-phone System）、ＰＤＡ（Personal Digital Assistant）等を採用することができる。本実施形態では、携帯端末２０は、スマートフォンであるものとする。携帯端末２０は、電話機能やインターネット等に接続するための通信機能、および、プログラムを実行するためのデータ処理機能等を有する。
【００３２】
携帯端末２０は、図１に示すように、通信ユニット２０１、表示部２０４、タッチパネル２０５、マイク２０６、スピーカ２０７、記憶部２０８、及び制御部２０９を備える。
【００３３】
通信ユニット２０１は、他の機器と通信を行うものであり、例えばＢｌｕｅｔｏｏｔｈ（登録商標）、ＲＦＩＤ、ＴｒａｎｓｆｅｒＪｅｔ（登録商標）などの近接通信や、人体を介した人体通信、および無線通信などを用いることができる。本実施形態において、通信ユニット２０１は、電極部２０２と、電極部２０２を用いて人体通信を行う人体通信部２０３と、を備える。電極部２０２は、携帯端末２０の筐体の外側であって、ユーザと接触する位置に設けられる。本実施形態では、人体通信部２０３は、撮像装置１０Ｂの人体通信部１２９Ｂと通信し、撮像装置１０Ｂのメモリ１１８Ｂに記憶されている撮像装置１０Ｂの設定情報を受信する。また、人体通信部２０３は、撮像装置１０Ａの人体通信部１２９と通信し、後述する記憶部２０８に記憶されている撮像装置１０Ｂの設定情報を撮像装置１０Ａに送信する。なお、電極部２０２が人体に直接触れていなくても、服のポケット（例えば、ワイシャツのポケット）などに携帯端末２０があれば、人体通信が可能である。
【００３４】
表示部２０４は、例えば、ＬＣＤ（Liquid Crystal Display）であって、画像、各種情報およびボタン等の操作入力用画像を表示する。タッチパネル２０５は、表示部２０４または表示部２０４内に組み込まれて設けられ、ユーザが触れたことに応じて情報入力を受け付ける。したがって、タッチパネル２０５は、ユーザが表示部２０４の表面をタッチすることに応じて、種々の情報入力を受け付ける。
【００３５】
マイク２０６は、携帯端末２０の周囲の音声（例えばユーザの音声）を入力するための音声入力装置である。スピーカ２０７は、ユーザや携帯端末２０の周囲へ音声を出力する音声出力装置である。
【００３６】
記憶部２０８は、例えば、不揮発性の半導体メモリや、ハードディスクドライブであって、撮像装置１０Ｂから受信した撮像装置１０Ｂの設定情報を記憶する。記憶部２０８は、例えば、図３に示すような、撮像装置１０Ｂを構成する各要素の設定情報が格納されたシステムファイルを記憶する。システムファイルは、撮像装置１０Ｂの設定情報をそれぞれ格納しているフォルダを含む。
【００３７】
ここで、図３に示す“ＧＰＳ”のフォルダには、ユーザの設定がホットスタートモードとコールドスタートモードとのいずれのモードであるかというモード情報が格納されている。“電子ビューファインダー”のフォルダには、視度調整ダイヤルの調整範囲のパラメータ情報及びユーザの設定情報が格納されており、“動画”のフォルダには、動画撮影時の設定情報（フレームレートや、マイク感度等）が格納されている。また、“モニタ切り替え”のフォルダには、不図示の電子ビューファインダーを用いた画像表示と表示部１１０Ｂを用いた画像表示の切替を、自動で行うのか、モニタ切り替えボタン１１２Ｂ-５（図２（Ａ）参照）により行うのかを決定する設定情報が格納されている。
【００３８】
また、“時計”のフォルダには、時刻の表示方法（２４時間表示、ＡＭ，ＰＭ表示）に関する設定情報が格納され、“温度”のフォルダには、温度の表示（摂氏表示、華氏表示）に関する設定情報が格納され、“言語”のフォルダには、表示部１１０等でメニューを表示する際に使用される言語に関する設定情報が格納されている。また、“日付”のフォルダには、日付の表示方法（ＹＹＹＹ／ＭＭ／ＤＤ，ＭＭ／ＤＤ／ＹＹＹＹ等）に関する設定情報が格納され、“単位”のフォルダには、表示部１１０等で情報を表示する際に使用される単位（メートル、インチ等）に関する設定情報が格納される。
【００３９】
上述のシステムファイルは、ＧＰＳのモード、電子ビューファインダーの視度調整、動画撮影時の設定といったユーザ毎に設定されるファイルと、ある地域や領域（例えば、日本であれば日時、言語（日本語）、単位（メートル、℃）、東京都品川区西大井であれば温度）では実質的に共通といえる汎用性のあるファイルとを有している。更に、システムファイルは、モニタ切り替えボタンの有無といったハードの仕様に関するファイルを有している。なお、上述の携帯端末２０の制御部２０９によるシステムファイルの作成は、携帯端末２０と撮像装置１０Ｂとがユーザを介した人体通信が可能なタイミングや、携帯端末２０の電極部２０２と、撮像装置１０Ｂの電極部１２７Ｂとが直接接触しているタイミングで行えばよい。また、携帯端末２０は、人体通信をトリガーとして、その後に不図示の無線通信部により撮像装置１０Ｂと通信を行い、システムファイルを作成するようにしてもよい。
【００４０】
図１に戻り、制御部２０９は、ＣＰＵ、ＲＡＭ（Random Access Memory）、ＲＯＭ(Read Only Memory)等を備え、携帯端末２０全体を制御する。具体的には、前述したように、撮像装置１０Ｂからの設定情報の受信や、撮像装置１０Ａへの設定情報の送信等を制御する。
【００４１】
（設定情報移行処理）
次に、撮像装置１０Ａ（新製品）に撮像装置１０Ｂ（旧製品）の設定情報を移行する処理について説明する。図４は、撮像装置１０Ａの制御部１３０が実行する設定情報移行処理の一例を示すフローチャートである。本実施形態では、図４の処理は、例えば、ユーザが、携帯端末２０を保持（ポケットに収納している場合も含む）した状態で、初期設定モードに設定された撮像装置１０Ａを保持し、携帯端末２０と撮像装置１０Ａとの間で人体通信が成立すると開始されものとする。なお、図４の処理を開始する前に、ユーザが、携帯端末２０と撮像装置１０Ｂとを保持することにより、撮像装置１０Ｂの制御部１３０Ｂが撮像装置１０Ｂの設定情報を人体通信によって携帯端末２０に送信しており、携帯端末２０の記憶部２０８には、撮像装置１０Ｂの設定情報が記憶されているものとする。
【００４２】
図４の処理では、まず、ステップＳ１１において、制御部１３０は、携帯端末２０の記憶部２０８に記憶されている撮像装置１０Ｂの設定情報（図３参照）を取得する。
【００４３】
続くステップＳ１３において、制御部１３０は、取得した設定情報を汎用性のある第１設定情報と、それ以外の第２設定情報とに判別する。本実施形態において、汎用性のある第１設定情報は、前述したようにある地域や領域では実質的に同じといえる（すなわちユーザ毎に異ならない）日時、言語、単位、温度（厳密なものではなく）である。本実施形態において、撮像装置１０Ａの設定情報は、図５に示すように、第１設定情報と第２設定情報とに分けて記憶されるようになっている。したがって、制御部１３０は、図５の“第１設定情報”のフォルダに含まれる設定情報（時計、温度、言語、日付、単位）に対応する設定情報については、第１設定情報と判別し、その他の設定情報を第２設定情報と判別する。図３の例では、ＧＰＳ、電子ビューファインダー、動画、及びモニタ切り替えの設定情報や仕様に関する情報が、第２設定情報と判別される。すなわち、第２設定情報は、ユーザ毎に設定される情報と、ハードの仕様に関する情報とを有している。
【００４４】
続くステップＳ１５において、制御部１３０は、第１設定情報に基づき、撮像装置１０Ａの設定を行う。具体的には、制御部１３０は、“第１設定情報”のフォルダ内に格納されている設定情報（時計、温度、言語、日付、単位）を、撮像装置１０Ｂから取得した設定情報に置き換える、または、書き換える。これにより、汎用性のある設定については、撮像装置１０Ａにおいて自動的に設定がされるため、ユーザが設定を行う必要がなく、撮像装置１０Ａの設定に係るユーザ作業が軽減される。ステップＳ１５の処理後は、ステップＳ１７に移行する。
【００４５】
ステップＳ１７に移行すると、制御部１３０は、第２設定情報を１つ選択する。例えば、制御部１３０は、第２設定情報と判別された、ＧＰＳ、電子ビューファインダー、動画、及びモニタ切り替えの設定情報のうち、“ＧＰＳ”の設定情報を選択し、ステップＳ１８に移行する。
【００４６】
ステップＳ１８に移行すると、制御部１３０は、ステップＳ１７で選択した第２設定情報に対応する設定情報が撮像装置１０Ａに存在するか否か判断する。具体的には、制御部１３０は、図５の“第２設定情報”のフォルダ内に、“ＧＰＳ”のフォルダが存在するか否かを判断する。ここでは、図５の“第２設定情報”のフォルダ内に、“ＧＰＳ”のフォルダが存在するため、ステップＳ１８の判断が肯定され、制御部１３０は、ステップＳ１９に移行する。
【００４７】
ステップＳ１９に移行すると、制御部１３０は、ステップＳ１７で選択した第２設定情報を、そのまま撮像装置１０Ａの設定に使用できるか否かを判断する。本実施形態においては、ＧＰＳのフォルダに格納されている情報がユーザのモード設定（ホットスタートモードかコールドスタートモード）であり、このモード設定を位置検出部１１４で設定可能と判断した場合には、制御部１３０は、ステップＳ２１に移行する。
【００４８】
ステップＳ２１に移行すると、制御部１３０は、ステップＳ１７で選択した第２設定情報に基づき、撮像装置１０Ａの設定（ここではＧＰＳのモード設定）を行い、ステップＳ３１に移行する。
【００４９】
ステップＳ３１に移行すると、制御部１３０は、第２設定情報のフォルダ内に格納されている全てのフォルダを処理したか否かを判断する。ここでの判断が否定された場合には、ステップＳ１７に戻る。
【００５０】
ここで、ステップＳ１７において、“電子ビューファインダー”の設定情報を選択した場合、制御部１３０は、ステップＳ１９において、撮像装置１０Ａの視度調整ダイヤル１１２−４の調整範囲パラメータと、撮像装置１０Ｂの視度調整ダイヤル１１２Ｂ−４の調整範囲パラメータとを比較する。ここで、例えば、撮像装置１０Ｂが撮像装置１０Ａの上位機種である場合、撮像装置１０Ｂの視度の調整域が、撮像装置１０Ａの視度の調整域よりも広い場合がある。このような場合には、制御部１３０は、第２設定情報をそのまま撮像装置１０Ａの設定に使用できないと判断する。この場合、ステップＳ１９の判断が否定され、制御部１３０は、ステップＳ２３に移行する。
【００５１】
ステップＳ２３に移行すると、制御部１３０は、撮像装置１０Ａへの移行が不可能な範囲を報知する。例えば、撮像装置１０Ｂの視度の調整域が−５〜＋３であり、撮像装置１０Ａの視度の調整域が−３〜＋３であり、撮像装置１０Ｂにおいて視度が−４に設定されていたとする。この場合、例えば、制御部１３０は、表示部１１０に、「視度−５〜−３までの設定を移行することができません」等のメッセージを表示する。なお、撮像装置１０Ａがスピーカを備える場合には、制御部１３０は、スピーカから同様の音声を出力してもよい。これにより、ユーザは、撮像装置１０Ｂの設定がそのまま移行できない場合に、移行できない範囲を確認することができる。
【００５２】
続くステップＳ２５において、制御部１３０は、設定の代替案を提示する。具体的には、制御部１３０は、例えば、表示部１１０に、「視度を下限の−３に設定しますか」等のメッセージを表示し、ステップＳ２７に移行する。これにより、ユーザは、撮像装置１０Ｂの設定がそのまま移行できない場合にも、代替案の提示を受けることができるため、効率的に撮像装置１０Ａの設定を行うことができる。
【００５３】
ステップＳ２７に移行すると、制御部１３０は、ステップＳ２７で提示した代替案に基づく設定を行うか否かを判断する。具体的には、ステップＳ２５において表示した「視度を下限の−３に設定しますか」等のメッセージに対する回答として、タッチパネルの操作により「いいえ」をユーザが選択した場合には、制御部１３０は、ステップＳ３１に移行し、タッチパネルの操作により「はい」を選択した場合には、ステップＳ２９に移行する。なお、制御部１３０は、ステップＳ２５及びステップＳ２７の処理を省略して、ステップＳ２３の処理後、ステップＳ２９に移行してもよい。
【００５４】
ステップＳ２９に移行すると、制御部１３０は、代替案に基づいて第２設定情報を加工して、当該加工した第２設定情報に基づき、撮像装置１０Ａの設定を行う。例えば、撮像装置１０Ｂにおいて視度が−４に設定されていた場合に、制御部１３０は、不図示のモータにより接眼レンズを光軸方向に移動して、当該設定を撮像装置１０Ａの視度の調整域の下限である−３に変更するとともに、視度調整ダイヤル１１２−４のダイヤル位置も−３にする。これにより、ユーザは、撮像装置１０Ｂの設定がそのまま移行できない場合にも、撮像装置１０Ａの仕様に合わせて加工された設定情報に基づき、撮像装置１０Ａの設定を行うことができる。ステップＳ２９の処理後は、ステップＳ３１に進む。
【００５５】
ところで、ステップＳ１７において、“モニタ切り替え”の設定情報が選択された場合には、図５に示す“第２設定情報”のフォルダ内に、“モニタ切り替え”のフォルダが存在しないため、ステップＳ１８の判断が否定され、制御部１３０は、ステップＳ３３に移行する。
【００５６】
ステップＳ３３に移行すると、制御部１３０は、撮像装置１０Ａに移行できない第２設定情報を報知する。たとえば、制御部１３０は、「モニタ切り替えの設定は移行できません」等のメッセージを表示部１１０に表示する。このとき、例えば、制御部１３０は、「電子ビューファインダーとＬＣＤ表示パネルの切り替えは、バリアングルＬＣＤの開閉と、ＬＣＤの向きで検知します」等のメッセージを表示部１１０に表示してもよい。ステップＳ３３の処理後は、ステップＳ３１に移行する。なお、制御部１３０は、移行できなかった設定情報については、メモリ１１８から削除してもよい。
【００５７】
このようにして、第２設定情報を全て処理すると、ステップＳ３１の判断が肯定され、制御部１３０は、図４の全処理を終了する。なお、制御部１３０は、撮像装置１０Ａの設定のうち、例えば、撮像装置１０Ｂには存在せず撮像装置１０Ａには存在する機能に関する設定等、上述した設定情報移行処理で設定できなかった設定を報知するようにしてもよい。例えば、撮像装置１０Ｂには動画撮像機能がなく、撮像装置１０Ａには動画撮像機能が存在する場合、制御部１３０は、「動画撮像に関する設定については、設定が終わっていません」等のメッセージを表示部１１０に表示してもよい。
【００５８】
以上、詳細に説明したように、本実施形態によれば、撮像装置１０Ａの制御部１３０は、撮像装置１０Ｂでユーザにより設定された設定情報を取得し、当該設定情報を汎用性のある第１設定情報と、当該第１設定情報とは異なる第２設定情報とに判別し、第１設定情報に基づいて、撮像装置１０Ａの設定を行うため、汎用性のある設定については、今まで使用していた撮像装置１０Ｂの設定が自動的に撮像装置１０Ａに移行されるため、撮像装置１０Ａの設定に係るユーザ作業を軽減できる。
【００５９】
また、本実施形態において、制御部１３０は、第２設定情報に基づく撮像装置１０Ａの設定が可能か否かを判別する（図４のステップＳ１９）。これにより、第２設定情報に基づく撮像装置１０Ａの設定が可能な場合には、第２設定情報に基づく設定が自動的に行われるため、撮像装置１０Ａの設定に係るユーザ作業を軽減できる。
【００６０】
また、本実施形態において、制御部１３０は、第２設定情報の一部を加工して撮像装置１０Ａの設定を行うため（図４のステップＳ２９）、撮像装置１０Ｂの設定をそのまま撮像装置１０Ａに移行できない場合にも、撮像装置１０Ａの仕様に合わせて加工された設定情報に基づき、撮像装置１０Ａの設定を行うことができ、撮像装置１０Ａの設定に係るユーザ作業を軽減できる。
【００６１】
また、本実施形態において、制御部１３０は、第２設定情報により撮像装置１０Ａの設定ができない場合に、例えば、表示部１１０を用いて報知を行うため（図４のステップＳ２３、ステップＳ３３等）、ユーザは、移行されない設定を確認することができる。
【００６２】
なお、上記実施形態においては、撮像装置１０Ｂは、設定情報をメモリ１１８Ｂに記憶していたが、記憶媒体１１６Ｂに記憶してもよい。この場合、制御部１３０は、撮像装置１０Ｂから取り外され、撮像装置１０Ａの不図示のスロットに挿入された記憶媒体１１６Ｂから、設定情報を取得してもよい。また、撮像装置１０Ａと撮像装置１０Ｂとが、近接通信や人体通信を用いて、携帯端末２０を介さずに直接設定情報を送受信してもよい。
【００６３】
また、例えば、撮像装置１０Ｂの制御部１３０Ｂは、設定情報を、予め、図５に示すような第１設定情報と、第２設定情報とに振り分けてメモリ１１８に記憶してもよい。この場合、例えば、撮像装置１０Ａの制御部１３０は、第１設定情報のフォルダ内に格納された設定情報については、そのまま撮像装置１０Ａの設定に使用し、第２設定情報のフォルダ内に格納された設定情報については、図４のステップＳ１７〜ステップＳ３３の処理を実行してもよい。これにより、制御部１３０は、設定情報を第１設定情報と第２設定情報とに判別する処理を省略できるため、設定の移行にかかる時間を短縮することができる。また、携帯端末２０が撮像装置１０Ｂから取得した設定情報（図３）を、図５に示すように第１設定情報と第２設定情報とに振分け、撮像装置１０Ａに送信しても同様の効果を得られる。
【００６４】
なお、上記実施形態では、図４のステップＳ１３において、制御部１３０は、図５の“第１設定情報”のフォルダに含まれる設定情報（時計、温度、言語、日付、単位）に対応する設定情報については、第１設定情報と判別し、その他の設定情報を第２設定情報と判別していたが、これに限られるものではない。例えば、制御部１３０は、第１設定情報となりうる設定情報をリスト化したテーブルを用いて、第１設定情報と、第２設定情報とを判別してもよい。
【００６５】
上記の実施形態では、撮像装置１０Ａおよび撮像装置１０Ｂがいずれも一眼レフカメラであるとして説明を行ったが、これに限られず、携帯電話、スマートフォン、タブレット型パーソナルコンピュータ、ビデオカメラといったハンドホールド可能な電子機器や、ハードディスクレコーダー、テレビ等の電子機器にも適用可能である。
【００６６】
上述した実施形態は本発明の好適な実施の例である。但し、これに限定されるものではなく、本発明の要旨を逸脱しない範囲内において種々変形実施可能である。
【符号の説明】
【００６７】
１０Ａ，１０Ｂ  撮像装置
２０  携帯端末
１１０  表示部
１１６，１１６Ｂ  記憶媒体
１１８，１１８Ｂ  メモリ
１２９，１２９Ｂ  人体通信部
１３０，１３０Ｂ  制御部
【図１】
2015012328.tif 000003
【図２】
2015012328.tif 000004
【図３】
2015012328.tif 000005
【図４】
2015012328.tif 000006
【図５】
2015012328.tif 000007